(57)【要約】本発明は慢性腎障害のモニタ、予知および／または診断における生物マーカとしてのＷＮＴ１の使用を含む。本発明はインビトロの予知および診断方法、並びにそれを実施するためのキットを提供する。本発明はまた、慢性腎障害治療用の薬物製造のための有効成分のスクリーニングにおいて、ＷＮＴ１を使用すること、および前記スクリーニングを実施する方法を含む。【特許請求の範囲】
【請求項１】
腎機能の障害の予知における、および／または前記障害と関連する腎障害の診断における生物マーカとしてのＷＮＴ１の使用。
【請求項２】
前記腎機能または腎障害が移植腎臓のものである請求項１記載の使用。
【請求項３】
腎機能の障害を予知する方法および／または前記障害と関連する腎障害を診断する方法であって、患者から単離した生体サンプル中に、生物マーカＷＮＴ１もしくはそのフラグメントの存在または不存在を測定することを特徴とする方法。
【請求項４】
前記生体サンプルが、尿、血液、血清または組織生検であり、ＷＮＴ１のタンパク質、ＲＮＡもしくはＤＮＡまたはそのフラグメントの存在または不存在を測定することを特徴とする請求項３記載の方法。
【請求項５】
前記患者が、腎臓移植治療を受けた患者である請求項３または４のいずれかに記載の方法。
【請求項６】
生物マーカＷＮＴ１を定量することを特徴とする請求項３〜５のいずれか１項に記載の方法。
【請求項７】
慢性同種異系移植腎障害をインビトロで診断する方法であって、
ａ）患者から単離した生体サンプル中のＷＮＴ１またはそのフラグメントを定量すること；
ｂ）工程ａ）のサンプル中のＷＮＴ１量を、健常個体から単離したサンプル中のＷＮＴ１量と比較すること；ここで、ＷＮＴ１が存在すること、またはその量が相対的に増大していることは、腎機能の障害の兆候を示している、
を含むことを特徴とする方法。
【請求項８】
前記生体サンプルが尿サンプルである請求項７記載の方法。
【請求項９】
腎機能の障害または前記障害と関連する腎障害の予知および／または診断をモニタするためのキットであって、配列番号１、配列番号２、配列番号３、またはそのフラグメントから選択され、その検出のために標識されていてもよい配列に結合し、認識し得る少なくとも１種の分子または組成物を含んでなるキット。
【請求項１０】
腎機能の障害または前記障害と関連する腎障害をモニタ、予知および／または診断するためのキットであって、生物マーカＷＮＴ１またはそのフラグメントを含んでなるキット。
【請求項１１】
線維形成過程から生じる疾患の処置を企図する薬物を製造または開発するための、有効成分のスクリーニングにおける請求項９または１０に記載のキットの使用。
【請求項１２】
薬物の製造または開発のために、有効成分をスクリーニングする方法であって、前記有効成分をＷＮＴ１に結合させアッセイすることを特徴とする方法。
【請求項１３】
腎機能の障害と関連する腎障害が、同種異系移植腎障害である請求項９または１０のいずれかに記載のキット。
【請求項１４】
腎障害の処置または予防のための薬物の製造および／または選択におけるＷＮＴ１またはそのフラグメントの使用。
【請求項１５】
前記腎障害が慢性同種異系移植腎障害である請求項１４記載の使用。
【発明の詳細な説明】
【技術分野】
【０００１】
本発明は、慢性腎不全（ＣＲＦ）の患者、とりわけ、移植治療を受けている患者の腎機能の診断およびモニタをするための臨床手段の分野に属する。
【背景技術】
【０００２】
慢性腎不全（ＣＲＦ）は、糸球体濾過率（ＧＦＲ）の低下を特徴とする緩慢な進行性腎機能喪失から成り立つ。腎不全が極めて重症（末期腎疾患、ＥＳＲＤ）である場合には、置換療法が必要であり、それは透析または腎移植から構成されるものであってもよい。
【０００３】
腎移植療法は結果の良好な代替療法であり、一部の事例では１５年以上も患者の寿命を引き延ばすことができる。しかし、そこには多くのリスクと合併症が存在する。組織適合性試験が近年改善されてきたという事実にも拘わらず、移植した臓器の腎機能不全につながり得る急性または慢性の拒絶反応を防止するために、並行して、引き続き免疫抑制療法を開発する必要がある。移植後、血清クレアチニンが高いレベルにあることは、移植した腎臓の機能が障害されていることを示している。しかし、このクレアチニン法は感度が劣り、また特異的でもない。従って、移植腎臓の腎機能をモニタするためのモニタ手段、および移植片の生存率を評価するための評価手段を開発することが、臨床上必要となっている。慢性の同種異系移植腎障害（ＣＡＮ）は、間質性線維症および尿細管萎縮を特徴とし、移植臓器を失うにいたる主たる原因である。ＣＡＮは、多因子性病因を有し、免疫学的因子（同種異系移植拒絶反応）および非免疫学的因子の両方、とりわけカルシニューリンインヒビタによる腎毒性が関与している。今日、患者の免疫系の特異活性に基づく移植臓器の拒絶反応を検出し得る多くのモニタ手段が、診断キットの形態で存在する。例えば、特許出願ＷＯ２００４０７４８１５Ａ１は、炎症と関連するタンパク質をコードする１種以上の遺伝子の発現レベルを測定することを含む、組織生検または血液サンプルから、移植臓器の機能不全もしくは拒絶反応リスクを評価する方法を教示している。同様に、特許出願ＷＯ２００６０９９４２１Ａ１は、移植臓器の進捗を評価し、例えば、同種異系移植腎障害などの慢性の機能的障害の存在を同定し、急性拒絶反応（ＡＲ）の重症度と部類を同定することを含む方法を記載している。そこに記載された方法は、表１および表２に特定されている少なくとも１種の遺伝子を、血中または生検中のタンパク質もしくは核酸レベルで検出することを含む。表２は、腎臓生検からの血液もしくは組織を用いる前記方法のための３０種の予測遺伝子を特定する。これらの遺伝子はすべて免疫系の活性と顕著に関係している。それらは、サイトカイン−もしくはケモカイン−誘発遺伝子と、またはＭＨＣ複合体の部分を形成する遺伝子、補体もしくは免疫グロブリンの遺伝子と一致する。表３の４７９種の遺伝子は、全体として、同種異系移植腎障害（ＡＲ、ＣＡＮ）に特徴的な他の遺伝子として表１および表２の両方の遺伝子を含む「移植体チップ」の例を表す。文献の再調査において判明した正常機能の免疫系の制御遺伝子とモジュレーター遺伝子もまた、これらの中に包含される。
【０００４】
上記のタイプの臨床手段は、サンプルを入手するために、侵襲的方法を必要とする；例えば、生検は、相当の経済的コストを要することに加えて、相当の関連する病的状態を伴う。血液または組織サンプルに替わり得るものとして、尿サンプルがある；しかし、今日、尿サンプルから移植した臓器の状態を診断するための信頼し得る臨床手段はない。移植腎臓の場合には、炎症過程と関連するタンパク質の尿中の存在を検出する高感度技法が開発されている。カナダのニッカーソン（Nickerson）博士のチームの研究では、ＡＲと関連する尿中タンパク質の検出のためのプロテオミクス技法が用いられた（Schaub et al., J Am Soc Nephrol. 2004 Jan; 15(1):219-27）。生物医学技法に関心をもつ一部の企業もまた、この方向にその努力を注いでいる（ＷＯ０７１２１９２２Ａ２およびＷＯ０７１０４５３７Ａ２；Am J Transplant. 2005 Oct; 5(10): 2479-88; ＣＡ２４７３８１４Ａ１）。これらの出願および研究は、免疫系の機能に関連する生物マーカを尿中に検出する可能性を企図するものであるが、この技法を用いる信頼し得る市販の臨床的方法は存在しない。このことは、プロテオミクス技術が病態生理学的過程の複雑な側面を明らかにすること、また新しい生物マーカを開示することの可能性を有するにも拘わらず、腎臓移植の病態の尿中プロテオームの現状が、このような目的を達成するにはなお遥か彼方にあるからである（Schaub et al., Contrib Nephrol. 2008; 160:65-75）。
【０００５】
上記のように、ＣＡＮの特徴的な兆候は、間質性線維症と尿細管萎縮である。ＣＡＮの病因は、一部、移植の拒絶にある。しかしながら、移植組織における初期の損傷を、とりわけ尿分析などの非侵襲技法により検出する利用可能な直接的手段はない。免疫系活性に関係する生物マーカの使用に由来する問題の一つは、急性感染症と拒絶反応との間で識別ができないことである。さらに、これらの方法は、腎臓機能の状態を直接に反映しておらず、また自分自身の腎臓を保持している患者の評価には適用できない。
【０００６】
それ故、日常の臨床業務において、専門家にとっての主要な問題は、かれらが腎臓障害の存在を示す十分な非侵襲的診断手段をもたないということである。すでに示したように、免疫系活性の機能として拒絶反応を検出する手段は存在するが、侵襲的方法によるものである。
【０００７】
驚くべきことに、本出願の発明者は、尿分析にて特異的線維症マーカを同定した。２Ｄ−ＤＩＧＥプロテオミクス技法による腎臓移植患者サンプルの分析は、慢性同種異系移植腎障害に罹患するこれら患者の尿中に、タンパク質ＷＮＴ１の明確に区別し得る存在を示した。ＷＮＴ１タンパク質は成人の腎臓では発現されないが、成長の間には、それが後腎間葉織を誘導し、尿細管上皮と糸球体上皮に分化し（Herzlinger et al., 1994; Dev. Biol. 166:815-818）、それが肺の繊維化と組織萎縮過程に関与することとなる（Konigshoff et al., PLoS ONE. 2008 May 14; 3(5): e2142）。
【先行技術文献】
【特許文献】
【０００８】
【特許文献１】国際公開第２００４／０７４８１５号パンフレット
【特許文献２】国際公開第２００６／０９９４２１号パンフレット
【特許文献３】国際公開第２００７／１２１９２２号パンフレット
【特許文献４】国際公開第２００７／１０４５３７号パンフレット
【特許文献５】カナダ国特許出願公開２４７３８１４号明細書
【非特許文献】
【０００９】
【非特許文献１】Schaub et al., J Am Soc Nephrol. 2004 Jan; 15(1):219-27
【非特許文献２】Am J Transplant. 2005 Oct; 5(10): 2479-88
【非特許文献３】Schaub et al., Contrib Nephrol. 2008; 160:65-75
【非特許文献４】Herzlinger et al., 1994; Dev. Biol. 166:815-818
【非特許文献５】Konigshoff et al., PLoS ONE. 2008 May 14; 3(5): e2142
【発明の概要】
【発明が解決しようとする課題】
【００１０】
従って、本発明は、患者の尿サンプルの分析により、初期段階で腎臓の組織障害を直接測定し得る新規の非侵襲的臨床手段を提供する。
【課題を解決するための手段】
【００１１】
本発明の第一の態様は、腎機能障害の予知における、および／または前記障害と関連する腎障害の診断における生物マーカとしてのＷＮＴ１の使用である。好適な実施態様において、本発明は腎移植患者での本使用を含んでなる。
【００１２】
本発明の別の態様は、腎機能障害を予知する方法および／または前記障害と関連する腎障害を診断する方法であって、患者から単離した生体サンプル中に、生物マーカＷＮＴ１もしくはそのフラグメントの存在または不存在を測定することを含む方法である。好適な実施態様において、使用する生体サンプルは、尿、血液、血清または組織生検であり、それについて、ＷＮＴ１のタンパク質、ＲＮＡもしくはＤＮＡまたはそのフラグメントの存在または不存在を測定することを含む。
【００１３】
好適な実施態様において、本発明の方法は、腎移植患者から単離した生体サンプルを含んでなる。なおさらに好適な実施態様において、本発明の方法は、サンプル中のＷＮＴ１を定量することを含む。
【００１４】
本発明の第三の態様は、慢性同種異系移植腎障害をインビトロで診断する方法であって、前記方法は：
ａ）患者から単離した生体サンプル中のＷＮＴ１またはそのフラグメントを定量すること；
ｂ）工程ａ）のサンプル中のＷＮＴ１量を、健常個体から単離したサンプル中のＷＮＴ１量と比較すること；
を含む。
【００１５】
本方法において、ＷＮＴ１が存在すること、またはその量が相対的に増大していることは、腎機能障害の兆候を示している。
【００１６】
とりわけ好適な実施態様において、本方法は、患者の尿サンプルを用いて実施する。他の実施態様においては、血液、血清または生検組織サンプルを本方法で使用する。
【００１７】
本発明のさらなる態様は、腎機能障害および前記障害と関連する腎障害をモニタ、予知および／または診断するためのキットであって、ＷＮＴ１の生物学的形状のいずれかに相当し、配列番号１、配列番号２、配列番号３、またはそのフラグメントから選択される配列に結合し、認識し得る少なくとも１種の分子または組成物を含んでなるキットである；前記分子は、選択肢として、その検出を容易にするために標識してもよい。
【００１８】
本発明の別のさらなる態様は、腎機能障害および前記障害と関連する腎障害をモニタ、予知および／または診断するためのキットであって、生物マーカＷＮＴ１またはそのフラグメントを含んでなるキットである。
【００１９】
本発明の特定の実施態様は、線維形成過程から生じる疾患の処置を企図する薬物を製造または開発するための、有効成分のスクリーニングにおける前記キットの使用から構成される。
【００２０】
本発明の一態様は、薬物の製造または開発のために、有効成分をスクリーニングする方法であって、前記有効成分をＷＮＴ１に結合させアッセイすることを含む方法である。
【００２１】
好適な実施態様において、本発明のキットは、腎機能障害と関連する同種異系移植腎障害をモニタし、予知し、および／または診断すること、またはそれを治療するための薬物製造用の有効成分をスクリーニングすることを目的とする。
【００２２】
本発明の最終の態様は、腎障害処置のための薬物製造用の有効成分をスクリーニングする際に、ＷＮＴ１またはそのフラグメントを使用することである。好適な実施態様において、前記腎障害は慢性同種異系移植腎障害である。
【図面の簡単な説明】
【００２３】
【図１】ウエスタンブロットによるｗｎｔ−１タンパク質を検出する詳細を示す図である。研究試験対象患者基準に合致する患者の各群の２件のランダムサンプルをｗｎｔ−１を検出するために選択した。図ａ）はＣＡＮではない２人の腎移植患者（ＣＡＮ  ０）の詳細に相当し；ｂ）は初期ＣＡＮの２人の腎移植患者（ＣＡＮ  Ｉ）の詳細に相当し；またｃ）は進行したＣＡＮの２人の腎移植患者（ＣＡＮ  ＩＩ−ＩＩＩ）の詳細に相当する（ＣＡＮ：慢性同種異系移植腎障害）。
【図２】デサイダ（DeCyder；登録商標）イメージ分析ソフトウエア（ＧＥヘルスケア）が提供する画像を示す図である。境界線により範囲を定めた領域は、ｗｎｔ−１として同定されたタンパク質の部分に相当する。ＣＡＮの重症度が増大するにつれ、領域の高さが増大することが観察されるが、この領域の増大は、尿中タンパク質量の増加に相当する。図ａ）はＣＡＮではない腎移植患者（ＣＡＮ  ０）の詳細図に相当し；ｂ）は初期ＣＡＮの腎移植患者（ＣＡＮ  Ｉ）の詳細図に相当し；またｃ）は進行したＣＡＮの腎移植患者（ＣＡＮ  ＩＩ−ＩＩＩ）の詳細図に相当する（ＣＡＮ：慢性同種異系移植腎障害）。
【発明を実施するための形態】
【００２４】
［定義］
本発明に関連して、用語ＷＮＴ１は、他に明確に特定しない限り、遺伝子無翅関連ＭＭＴＶ組込み部位１の生物学的形状（遺伝子座１２ｑ１２−ｑ１３；ホモサピエンス）およびその組合せのいずれかに関係する。前記生物学的形状は、限定されるものではないが、ＤＮＡ、その変異体および突然変異体、その制御領域（例えば、レギュレータ、モジュレータープロモータ及びエンハンサ）；ｃＤＮＡおよびそれを含んでなる構築物；ＲＮＡとその翻訳物のいずれか（ｍＲＮＡおよびそのタンパク質を含む）、翻訳後修飾体、突然変異体およびその変異体とそのフラグメントである。生物マーカはまた、生理病理学的過程を識別する生物学的分子とも理解される。本発明の場合、前記過程は間質性線維症および尿細管萎縮に相当し、これらは腎機能障害の特徴である。
【００２５】
本発明は、ＣＡＮ患者の尿中にＷＮＴ１タンパク質の存在することを、本発明者らが予期せずに観察したことに基づいている（図１）。慢性同種異系移植腎障害に罹患していない患者、または慢性同種異系移植腎障害のない腎移植患者、または正常腎機能を有する一般的な移植集団の尿中にＷＮＴ１が存在しないことは、ＷＮＴ１を前記患者にとっての高い診断価値および予測価値を有する生物マーカとする。本発明者らは、移植腎が成人腎臓のものである場合に、生検で観察される間質性線維症、尿細管萎縮、および硬化性病変形成に導く再生過程が、ＷＮＴ１発現の原因であるとする。かかる再生過程は、移植腎臓において、急性の拒絶反応および／または他の有害な傷害を原因とする最初の病変と共に直ちに始まる。リンパ球の増殖に呼応して、内膜層の肥厚と弾性層の破壊が起こる。従って、本発明者らは、前記技術分野で使用されている他のマーカと違って、患者のサンプル中のＷＮＴ１の存在または不存在に関しては、腎機能を遂行する構造の損傷と萎縮を直接測定し得ることを観察した。発明者らの推測は、ＷＮＴ１が慢性拒絶反応の極初期段階で観察される新しい媒体と新しい動脈内膜の形成に関与しているということである。
【００２６】
ＷＮＴ１の発現は移植の外科的力学の結果ではあり得ず、むしろ腎臓の内因性の生理病理に相当することから、これらの知見から推定して、もともと腎臓の障害を受けている患者にもこれらの知見を適用することができる。
【００２７】
日常の臨床実務においてとりわけ望ましいことは、患者の生活水準にマイナスの影響を与えず、患者にとって病的状態とならず、また高い経済的負担とならない患者からのサンプル採取により、例えば、尿サンプルなど、患者から単離されるサンプルから得ることのできる分析手段を手にすることである。これらの望ましい改善に相応して、本発明の第一の態様は、腎機能障害の予知に、および／または前記障害と関連する腎障害の診断において、ＷＮＴ１を生物マーカとして使用することである。
【００２８】
本発明によると、腎機能障害と関連する腎障害は、とりわけ、糖尿病性腎障害、腎血管硬化症、ＩｇＡ腎症、膜性腎症、病巣分節糸球体硬化症、ループス腎炎（全身性エリテマトーデスと関連）、ＡＮＣＡ陽性乏免疫性半月形糸球体腎炎（血漿における抗好中性細胞質抗体と関連）および慢性同種異系移植腎障害である。これらの腎障害の一部のものは、移植患者および非移植患者の両方に起こり得る。
【００２９】
間質性線維症および尿細管萎縮と共に表れる障害のあるものは、さらにＡＩＤＳなどの感染性疾患、または上記の全身性エリテマトーデスなどの慢性自己免疫疾患を含む。
【００３０】
また日常の臨床実務において望ましいことは、ＣＡＮの初期段階を提示し得て、急性の感染症と移植拒絶反応を識別可能とするために、免疫系活性を測定するものではない分析手段を入手することであろう。この改善によると、一部の実施態様において、本発明は、腎臓移植患者において、腎臓移植機能障害の予知、および／または前記障害と関連する腎障害の診断に、ＷＮＴ１を生物マーカとして使用することを含む。
【００３１】
本発明によると、腎機能障害と関連する腎障害は、既述のものに加えて、間質性線維症および尿細管萎縮と共に表れるいずれもの障害を含む。
【００３２】
腎機能障害の特異的な症候を査定し、評価し、判定する一助とすることを目的に、本発明の別の態様は、患者から単離した生体サンプルにおいて、ＷＮＴ１またはそのフラグメントの存在または不存在を判定することを含む、腎機能障害をモニタする、予知する方法、および／または前記障害と関連する腎障害を診断する方法を包含する。
【００３３】
本方法を予知に適用する場合、本発明は、本発明について記載した疾患もしくは障害の１つに前記患者が罹患するリスクについて、ＷＮＴ１のいずれかの生物学的形状の存在または不存在についての特定のデータを提供することにより評価する上での技術的な一助とすることを企図する。
【００３４】
好適な実施態様において、生体サンプルは、尿、血液、血清または組織生検であり、ＷＮＴ１のタンパク質、ＲＮＡもしくはＤＮＡまたはそのフラグメントの存在または不存在の測定が含まれる。
【００３５】
本発明の方法の可能な実施態様は以下から構成される：
ａ）患者からのサンプル採取。サンプルはその性質に応じて、直ちに使用するか、または適当に保存する。
例えば、サンプルは直ちに処理してもよいし、またはＷＮＴ１の生物学的形状の分解を防止するために、その分析時まで真空包装するか、もしくは−８０℃で凍結することができる。それらの採取後のサンプル処理は、如何なる場合にも本発明の目的を制限するものではなく、本発明の方法を実施する時点で、当業者周知の最良のプロトコールに従って実施されよう。
ｂ）サンプルからのフラクションの単離およびその中のＷＮＴ１の選択した生物学的形状の検出。
【００３６】
例えば、タンパク質ＷＮＴ１の存在または不存在を分析のために選択する場合は、サンプルを遠心分離し、タンパク質濃縮プロトコールに付す。サンプルが血液サンプルである場合には、前記濃縮に先立ち、細胞フラクションを取り除くことが必要である。腎臓組織生検の場合には、免疫組織化学のプロトコールに記載されている特別の処理または前記技術分野で既知の組織中タンパク質の他の検出技術に従う。市販の特異的抗−ＷＮＴ１抗体をこの目的に使用する。これらの抗体は他の試薬と共に前記サンプルフラクションの処理のための溶液に希釈するか、または抗体を固形支持体に固定化して、前記支持体へのタンパク質の結合と引き続くその展開（例えば、ＥＬＩＳＡ型またはアフィニティクロマトグラフィ型アッセイ）をし易くする。しかし、ＷＮＴ１の遺伝子発現を分析に選択する場合には、強力なＲＮアーゼ・インヒビタを後者に加えることなどを含む適切なｍＲＮＡ抽出プロトコールが選択される。前記プロトコールは、前記技術分野において既知であり、サンプルの性質に従って変わり得る。例えば、生検の場合、組織の均一化とＲＴ−ＰＣＲプロトコールが必要であり、該プロトコールは定量的であって、当業者がその最善の知識に従って選択する適切なプライマが必要とされる。
ｃ）選択肢として、工程ｂ）にて単離したフラクション中のＷＮＴ１の選択した生物学的形状の定量。
【００３７】
サンプル中のｍＲＮＡまたはＷＮＴ１タンパク質の存在は、単に腎機能障害の兆候を示すに過ぎないので、その定量を可能とする手段が望まれる；その理由は、かかる定量が腎機能喪失の程度の判定に役立ち得るからである。このことにより、本発明は、各患者において、最も適切な診断のための、症候の評価における臨床手段として、ＷＮＴ１を定量することを含む。
【００３８】
臨床上の腎臓病学において、腎不全に罹患している患者の診断を担当する専門家は、腎臓の構造的劣化について、客観的な技術データを提供する十分な手段を欠いている。本発明は、この臨床上の欠陥を改善するために、ＷＮＴ１の検出と定量を使用する可能性を提供する。それ故、本発明の一実施態様は、慢性同種異系移植腎障害のインビトロ診断方法であって：
ｃ）患者から単離した生体サンプル中のＷＮＴ１またはそのフラグメントの定量；
ｄ）工程ａ）のサンプル中のＷＮＴ１量と、健常個体から単離したサンプル中のＷＮＴ１量の比較；
［この場合、ＷＮＴ１量の存在または相対的増加は、腎機能障害の兆候を示す］
を含む方法を含む。
【００３９】
この定量の例は、図２に見ることができる。
【００４０】
患者の特に不快な局面は、患者が腎臓組織の劣化の程度について、客観的な技術データを提供する目的で、腎生検を得るために全身の検査を受けねばならず、生活水準が低下することである。本発明では、尿サンプルからデータを得ることが可能であるため、その意味では改善がある。極めて好適な実施態様において、慢性同種異系移植腎障害をインビトロで診断する本発明方法は、患者から得た尿サンプルを使用することを含む。
【００４１】
患者からのサンプル中、ＷＮＴ１の存在は、選択した試薬のセットを使用することにより、迅速かつ特異的に検出することができる。それを受けて、別の態様において、本発明は、腎機能障害または前記障害と関連する腎障害のモニタ、予知および／または診断を補助する分子データを得るための試薬のセットまたはキットを含む。この試薬のセットは、ＷＮＴ１の生物学的形状の１つ、すなわち、配列番号１；配列番号２；配列番号３；から選択される配列、またはそのフラグメントと結合し、認識することの可能な少なくとも１種の分子または組成物を含む。前記分子は選択肢として、その検出のために標識してもよい。
【００４２】
これらの試薬は、それが核酸である場合、従来、放射性分子または放射性写真フィルムをプリントし得る分子が含まれている人工的に合成された配列フラグメントから構成される。同様の方法で、タンパク質の検出に使用する試薬は、放射性、蛍光性または発光性分子で標識し得る従来の抗体である。本発明はこれらの抗体を固形支持体に結合し、ＥＬＩＳＡ型アッセイに使用し得るキットを創製することを企図する。
【００４３】
上記のキットは、腎障害の進行するリスクのある個体を同定する上で、とりわけ有用である。それを受けて、前記キットは、前記個体を検出し、非可逆的損傷の発生する前に、または疾患が進行する前に作用する予防手段または介在治療の戦略を開発するための手段として役立ち得る。特に、このキットは、疾患の進行の、および選択した治療法の成功率または無効率の追跡またはモニタにおいて、臨床スタッフの一助として役立ち得る。
【００４４】
間質性線維症および尿細管萎縮が腎不全の原因であるとすれば、それらを惹き起こす因子を遮断することが好都合であろう。この意味で、本発明の別の実施態様では、上記のキットに替わり得るキットとして、その試薬中に少なくとも１種のＷＮＴ１の生物学的形状を含んでなるキットが提供される。この代替キットは、例えば、ＷＮＴ１遺伝子のプロモータに結合して遺伝子発現を促進もしくは阻害し得る分子；または該遺伝子の翻訳もしくは転写を防止し得る分子、またはＷＮＴ１タンパク質の分泌もしくはその受容体への結合を遮断し得る分子；をスクリーニングするためのアッセイの開発に有用である。このキットはさらに、治療標的としてのＷＮＴ１を有する新しい薬物の製造に有用である。同様に、この代替キットは臨床家と患者双方にとって有益であり、腎損傷の初期の検出または移植腎臓の進捗についてのアッセイ法の開発手段を提供する。従って、このキットは、ＷＮＴ１の生物学的形状のいずれか、および別途他の既知の生物マーカが結合するマトリックスまたは固形支持体を含んでなる。それ故、本発明の別の態様は、薬物の製造または開発のための有効成分をスクリーニングする方法であって、ＷＮＴ１に対する前記有効成分の結合アッセイを含む方法である。
【００４５】
本発明により提供される技術により、患者、例えば、腎移植患者を、かれらの移植腎臓の機能的進捗を追跡するためのプログラムに組入れられるようになり、そのことにより拒絶反応または機能不全事象への早期の介入が可能となる。従って、本発明の好適な実施態様は、同種異系移植腎障害の予知および／または診断、並びに移植臓器のモニタを特に目的とするキットを含んでなる。
【００４６】
それ故、本発明の最終の態様は、腎臓患者が慢性同種異系移植腎障害を発症している場合には治療有用性を含んでなる。本発明によると、前記治療有用性は、有効成分のスクリーニングにおいて、および／または腎障害の処置もしくは予防のための薬物の製造および選択において、ＷＮＴ１を使用することを含む。本発明の実施態様は、特に好ましくは、該腎障害が慢性同種異系移植腎障害である場合の前記使用を含んでなる。
【実施例】
【００４７】
＜実施例１：ＣＡＮ罹患または未罹患移植患者の尿中ｗｎｔ−１の検出＞
１．１  患者
腎移植患者の朝の２回目の尿を、移植後の異なる時間で採取した。試験対象患者基準は以下の通りとした：１）男性；２）安定な腎機能；３）６ヶ月以上の移植後の時間；４）正常沈降物および非血尿；５）Ｔａｃ＋ＭＭＦ±Ｐｄでの免疫抑制剤処置；および６）最近、腎生検に急性の拒絶反応がなく、慢性病変の評価をバンフ（Banff）分類に従って実施。
【００４８】
サンプルは、ＣＡＮ０の移植患者８名から、ＣＡＮＩの移植患者８名から、ＣＡＮＩＩの移植患者５名から、およびＣＡＮＩＩＩの患者３名から採取した。患者は３つのグループに分けた：ＣＡＮ０（ｎ＝８）；ＣＡＮＩ（ｎ＝８）；およびＣＡＮＩＩ〜ＩＩＩ（ｎ＝８）。
【００４９】
本研究は、バルセローナ・ホスピタル・クリニック（Hospital Clinic de Barcelona）の倫理委員会により承認を受け、実施した。インフォームドコンセントはすべての患者から得られた。
【００５０】
１．２  ヒト尿サンプルの調製
感染と血尿のないことを試験片（コンバーテスト；Combur-Test；ロシュ）により確認する。プロテアーゼインヒビタ（コンプリートミニ（Complete Mini）およびペファブロック（Pefabloc）；ロシュ）処置患者から２回目の朝尿から１００ｍｌ採取した。尿はワットマン３ｍｍ濾紙（ワットマン、メイドストーン、英国）で濾過し、尿から可能な溶質を除去し、次いで、１，０００ｇで５分間遠心分離した。上清を使用時まで４０ｍｌずつとして−８０℃で保存した。
【００５１】
１．３  タンパク質沈殿物
尿タンパク質は、最終濃度１０％としてＴＣＡ（フルカ）で沈殿させる。タンパク質沈殿物は、−２０℃のアセトンにより２回洗った。次いで、沈殿物を４℃で乾燥放置し、再懸濁バッファ（７Ｍ尿素（ＧＥヘルスケア）、２Ｍチオウレア（ＧＥヘルスケア）、４％ＣＨＡＰＳ（ＧＥヘルスケア）、０．１％ＤＴＴ（シグマ）、および０．２％両性電解質（ｐＨ４〜７の範囲；ＧＥヘルスケア）含有）に溶解した。サンプルのｐＨを１Ｍ−ＮａＯＨでｐＨ８〜８．５として、ＤＩＧＥアッセイの蛍光色素での標識を最適化した。タンパク質濃度をＲｃＤｃキット（バイオラッド；販売業者のプロトコールに従う）により定量した。３０μｌずつを採り、その使用時まで−８０℃で保存した。
【００５２】
１．４  分取用ゲル
［等電点電気泳動］
２４ｃｍのポリアクリルアミドゲルストリップを、２％（ｗ／ｖ）ＣＨＡＰＳ（ＧＥヘルスケア）、７Ｍ尿素（ＧＥヘルスケア）、２Ｍチオウレア（ＧＥヘルスケア）、０．５％（ｖ／ｖ）両性電解質（ｐＨ４〜７の範囲；ＧＥヘルスケア），２ｍｇ／ｍｌジチオトレイトール（シグマ）および痕跡量のブロモフェノールブルー（ＧＥヘルスケア）含有再水和バッファ（４５０μｌ）により、ｐＨ４から７の直線ｐＨ勾配により受動的に再水和した（ＩＰＧストリップ；ＧＥヘルスケア）。タンパク質２５０μｇをカップ−ローディング法により負荷した（ＧＥヘルスケア）。ＩＧＰストリップを表１に特定した等電点電気泳動プログラムにより、エッタン（Ettan）ＩＰＧフォア（ＧＥヘルスケア）中、２０℃で等電点電気泳動に付した。等電点電気泳動後、直ちに、二次元ＳＤＳ−ＰＡＧＥを実施するまでストリップを−８０℃に凍結する。
【００５３】
【表１】
2012524883.tif 000002
【００５４】
［二次元：ＳＤＳ−ＰＡＧＥ］
二次元分離に先立って、亜硫酸水素塩架橋を除去するために、ＳＤＳ（５０ｍＭトリス−Ｃｌ  ｐＨ８．８（ＧＥヘルスケア）、６Ｍ尿素（ＧＥヘルスケア）、３０％（ｖ／ｖ）グリセロール（ＧＥヘルスケア）、２％（ｗ／ｖ）ＳＤＳ（フルカ）、痕跡量のブロモフェノールブルー（ＧＥヘルスケア）、０．５％（ｗ／ｖ）１−４ジチオトレイトール（ＤＴＴ）（ＧＥヘルスケア））を含む平衡化バッファ中、タンパク質を室温で１５分間インキュベートした。次いで、ＩＰＧストリップをヨードアセトアミドを含む平衡化バッファで１５分間インキュベートする（該バッファは、ＤＴＴの代わりに２．５％ヨードアセトアミド（ＧＥヘルスケア）を含む以外、先のバッファと正確に同じとする）。バッファ溶液ＩＩはバッファ溶液Ｉと同一であるが、ただし、ＤＴＴよりもむしろヨードアセトアミドを含んでいる。タンパク質はエッタンＤＡＬＴシステム（ＧＥヘルスケア）において、１２．５％ポリアクリルアミドゲル中、ゲルあたり２Ｗ、２０℃で、ブロモフェノールブルー前端が溶出されるまで（１０〜１４時間）、二次元で分離した。
【００５５】
［銀染色］
分離したタンパク質は常套の銀染色により可視化した。簡単に説明すると、タンパク質は定着液（４０％エタノール（メルク）および１０％酢酸（パンクレアック））により３０分間、ゲルに固定した；ゲルは増感液（３０％エタノール、０．２％（ｗ／ｖ）Ｎａ２Ｓ２Ｏ３（アマーシャム・バイオサイエンス）および６．８％（ｗ／ｖ）酢酸ナトリウム（アマーシャム・バイオサイエンス））により３０分間増感した。ｍＱ水にて５分ずつ３回洗浄した後、ゲルを２．５％（ｗ／ｖ）硝酸銀溶液（フルカ）に２０分間、含侵した。次いで、ｍＱ水にて１分ずつ２回洗浄した。現像液（２．５％重炭酸ナトリウム（フルカ）および０．４ｍＬ／Ｌのホルムアルデヒド（シグマ））が複数スポットを示した。現像液を１．４６％（ｗ／ｖ）ＥＤＴＡ−Ｎａ２・Ｈ２Ｏ液（フルカ）と１０分間置き換えて、反応停止させた。最後に、脱イオン水でそれぞれ５分間ずつ３回洗浄し、モレキュラー・イメージャ（登録商標）ＧＳ−８００（商標）校正濃度計（バイオ−ラッド）により走査した。
【００５６】
１．５  ＣＡＮ患者の尿中プロテオームのＤＩＧＥ二次元分析
［蛍光標識］
ＤＩＧＥ法により６枚のゲルを調製した；それぞれのゲルにおいて、１群から合計２人の患者のプロテオームを、別の１群からの合計２人の患者と比較する（表２参照）。各サンプルはＤＩＧＥ蛍光色素、Ｃｙ２、Ｃｙ３、またはＣｙ５（ＧＥヘルスケア）のそれぞれで標識する。タンパク質は、指定された蛍光色素（１μｇタンパク質当たり８ｐｍｏｌの蛍光色素の最終濃度）と暗所、４℃にてインキュベーションすることにより標識した。反応は、蛍光色素１ｍｏｌｅ当たり２５ｍｏｌｅのリジンにより停止させた。分析すべき異なる群に相当するサンプルは、疾患の段階に応じて発現の変化を分析する目的で、蛍光色素Ｃｙ３およびＣｙ５で標識する。蛍光色素Ｃｙ２はゲル間対照を標識するために保存する。これは同一比率のすべてのアッセイサンプルを混合することにより実施する。各ゲルにおいて、このゲル間対照５０μｇを２つの目的で各ゲルに負荷した。第一に、ゲル間対照は、対照と実験条件双方のすべてのタンパク質を含んでいるため、分析用および分取用ゲル双方のパターンを比較するための参照用パターンを生じる。第二に、Ｃｙ２で染色したスポットの強度は、対照および実験条件の強度を比較するための役割を有する。ゲルに負荷する前に、３種の蛍光色素で染色したサンプルを、表２に示すように混合した。
【００５７】
【表２】
2012524883.tif 000003
【００５８】
［等電点電気泳動およびＳＤＳ−ＰＡＧＥ］
等電点電気泳動および二次元分離は、すでに記載した通りに実施したが、その工程はすべて暗所にて実施した。
【００５９】
［画像分析］
二次元分離が終了した後、直ちに、ゲルを蒸留水で洗い、ＤＩＧＥ対応タイフーン・スキャナ（ＧＥヘルスケア）により走査した。タンパク質は、タイフーン・バリアブルモード・イメージャ（ＧＥヘルスケア）で可視化した。デサイダ（DeCyder）示差ゲル内分析ソフトウエア（ＧＥヘルスケア）を用いて、スポットの強度を分析した。異なるゲルのスポットは、Ｃｙ２で標識したアッセイ間のパターンを用いて整列させた。特に、発現はゲルそれぞれについて分析したが、その際、存在する１０００個のスポットの初期値を用いるデサイダプログラムのＤＩＡモジュールを並行して使用した。ＤＩＡ分析を用いて、１枚の同一ゲルの異なるサンプル間の特異的スポット強度を直接比較した。この場合、比較したタンパク質の強度は、ＣＡＮＩ、ＣＡＮＩＩ−ＩＩＩおよびＣＡＮ０の群の尿中プロテオームの強度である。これらのＤＩＡ分析は、次いで、デサイダのＢＶＡモジュールにより分析した；このモジュールは、３条件間の発現比率を包括的に分析することを可能とする。
【００６０】
［差別したタンパク質の同定：ＭＡＬＤＩ−ＴＯＦ−ＭＳによるペプチド質量フィンガープリンティング（ＰＭＦ）］
（ゲル内消化）
目標のタンパク質は、手動スポット採取器により、直径１．５ｍｍに切り出した（ゲルカンパニ）。タンパク質は、インベスティゲータープロゲスト（Investigator ProGest）ロボット（ゲノミックソリューション）中、トリプシン（修飾した配列決定等級；プロメガ）により消化した。簡単に説明すると、切り出したスポットを重炭酸アンモニウムとアセトニトリルで連続的に洗った。１０ｍＭ−ＤＴＴと３０分間インキュベートしてタンパク質を還元し、さらに５５ｍＭヨードアセトアミドと３０分間インキュベートした後、タンパク質を逐次バッファとアセトニトリルの洗浄に付した。タンパク質は、０．２７ｎｍｏｌのトリプシンにより、３７℃で一夜、消化した。トリプシン消化により得られたペプチドを、１０％ギ酸とアセトニトリルによりゲルから抽出し、抽出物をプールし、真空遠心分離により乾燥した。
【００６１】
（スペクトル取得）
二次元ゲルから切り出したタンパク質をＥＳＩ−ＭＳ−ＭＳ（Ｑ−ＴＯＦグローバル、マイクロマス−ウォーターズ）により分析した。トリプシン消化由来のペプチドを質量分析法と組み合わせた液体クロマトグラフィ（ＣａｐＬＣ−ナノ−ＥＳＩ−Ｑ−ＴＯＦ）（ＣａｐＬＣ、マイクロマス−ウォーターズ）により分析した。この場合、サンプルは１５μｌの１％ギ酸に再懸濁し、４μＬをクロマトグラフに注入し、Ｃ１８（内径７５μｍ、長さ１５ｃｍ；ペップマップカラム；ＬＣパッキングス）での逆相分離を実施した。溶出したペプチドをナノ針（ピコチップ（PicoTip；商標）、ニューオブジェクティブ）によりイオン化した。１８００〜２２００Ｖの電圧を８０Ｖの錘状電圧と共にキャピラリに負荷した。ＣＩＤ（衝突解離）の衝突は２０〜３５ｅＶであり、使用した衝突ガスはアルゴンである。記述されるデータはＰＫＬフォーマットを有し、ＭＡＳＣＯＴまたはＮＣＢＩ−エントレッズなどの検索手段を用いるデータベース検索に付すことができる。
【００６２】
１．６  ｗｎｔ−１のウエスタンブロット
厚さ１．５５ｍｍの１２％アクリルアミドミニゲル（ミニプロテアン、バイオラッド）を調製した。異なる程度のＣＡＮ患者からの尿タンパク質抽出物２５μｇを負荷し、６０Ｖで１０分間移動させ、引き続き１００Ｖで移動させた。ブロモフェノールブルー前端が溶出した際、直ちにタンパク質をニトロセルロース膜（プロタン、直径４５μｍ）に、トランスブロット・セミドライ（バイオラッド）により、１０Ｖで３０分間転写した。
【００６３】
引き続き、膜はＰＢＳ中の４％脱脂粉乳溶液により、室温で９０分間、ブロックした。続いて、一次抗体（ウサギから得たヒトｗｎｔ−１；ロックランド）のインキュベーションを、１％脱脂粉乳溶液中、１：５００に希釈して、緩やかに撹拌しながら、４℃で一夜（１０時間）実施した。１０分ずつ３回、それぞれ１％脱脂粉乳溶液で洗った後、二次抗体（抗−ウサギ；シグマ）とのインキュベーションを、１％脱脂粉乳溶液中、１：２０００に希釈して実施した。１０分間２回の洗浄を、それぞれＰＢＳ中の１％脱脂粉乳溶液で行った後、最後の洗浄をＰＢＳで実施した。その呈色にはＥＣＬシステム（ＧＥヘルスケア）を用いた。引き続き、ＬＡＲＳ画像入手システムにて画像を入手した。
【００６４】
ＣＡＮ０、ＣＡＮＩおよびＣＡＮＩＩ−ＩＩＩの２人の患者におけるｗｎｔ−１の同定結果は、図１から観察することができる。
【００６５】
＜実施例２：尿中に存在するｗｎｔ−１定量のためのＥＬＩＳＡアッセイ＞
ＥＬＩＳＡプレートをｗｎｔ−１抗体で被覆するために、該抗体（ロークランド）の適切な希釈液を４℃で一夜インキュベート放置する。ウエルをｄｄＨ２Ｏで洗い、プレートはＰＢＳ−トリトンで２回洗う。プレートは１％ＢＳＡ／ＰＢＳにより、室温で３０〜６０分間、ブロックする。標準液（既知のバイオノバｗｎｔ−１タンパク質希釈液）１００μｌおよび１００μｌ（希釈が必要な場合には実施する）。これを４℃で１時間インキュベートする。サンプルを除去し、アルカリ性ホスファターゼ（ＡＰ）またはペルオキシダーゼ（共にシグマから）に結合した二次抗体の適当な希釈液と１時間インキュベートする。抗体に結合しない要素を除去し、ウエスタンの呈色に必要な基質１００μｌを加える。これを暗所で１時間、４℃に放置し、インキュベートする。引き続き、プレートをプレートにより、適当な波長で読み取り、各サンプルの横軸が補間された校正直線を得る；この直線は、ｗｎｔ−１の定量を可能とする。結果はｗｎｔ−１のμｇ／カルニチンとして表す。
【００６６】
＜実施例３：腎生検におけるｗｎｔ−１の免疫組織化学的検出＞
ロークランドの市販抗−ヒトｗｎｔ−１抗体を一次抗体として使用する。切片を正に荷電したスライド（ジェネックス−ブランド；登録商標）上に載せた。
【００６７】
３．１  パラフィン除去処理：
パラフィン除去処理は、切片をキシレン（１０分間）に通過させ、エチルアルコールの強度を低下させること（１００℃  １０分間、９６℃  ５分間、および７０℃  ５分間）により実施した。
【００６８】
３．２  内在性ペルオキシダーゼ活性の遮断：
切片をメタノール中の３％過酸化水素溶液中で１５分間インキュベートし、さらに蒸留水中で１０分間インキュベートする。
【００６９】
３．３  抗原の回収：
切片を１０ｍＭクエン酸バッファ溶液（ｐＨ６）に浸漬し、オートクレーブ中、１２１℃に１５分間加熱する。５分間、冷却放置し、次いで、ＴＢＳＴバッファ溶液（５０ｍＭトリス−ＨＣｌ、３００ｍＭ−ＮａＣｌ、０．１％トゥイーン２０、ｐＨ７．６）浴に１５分間留めて洗浄した。
【００７０】
３．４  免疫標識：
非特異的結合部位を遮断する目的で、組織切片をＴＢＳＴバッファ中の１％ウシ血清アルブミンフラクションＶ溶液（シグマ）と５分間インキュベートした。次いで、抗−ｗｎｔ−１抗血清を適当に希釈して、４℃の湿潤チャンバ中に一夜放置する。
【００７１】
３．５  反応の進展：
ダコ（DAKO）ＬＳＡＢ２（登録商標）法を色素原基質としてのＡＥＣと共に使用する。
【００７２】
３．６  対比染色：
切片をメイヤのヘマトキシリンに１５秒間浸漬し、次いで、呈色のために流水下に置いた。
【００７３】
３．７  マウンティング：
マウンティング（配置）は水性マウント媒体（ベクタマウント（商標）ＡＱ、ベクターラボ・インダストリ）により実施する。
【００７４】
３．８  読み取り：
標本はライツ・ダイアラックス（Leitz Dialux）２０ＥＢ顕微鏡下で観察する。顕微鏡に装着したオリンパスＣ４０００デジタルカメラで写真撮影する。
【００７５】
＜実施例４：尿中ＷＮＴ−１ＲＮＡの抽出と定量＞
４．１  尿中ＲＮＡ抽出プロトコール：
少なくとも３０ｍｌの新鮮尿を採取し、その最初の処理加工時（採取後１時間未満に開始）まで冷蔵庫に保管する。
【００７６】
４．１．１  尿からの細胞の単離：
キットが許容する３０ｍｌを、ＺＲ  ＵＲＩＮＥ  ＲＮＡ単離キット（ザイモ・リサーチカタログＮｏ．Ｒ１０３８）が備えるフィルタ（ＺＲＣ  ＧＦ（商標）フィルタ）に通過させる。
【００７７】
濾過した尿は、他の工程で使用する予定のない限り、廃棄する。
【００７８】
４．１．２  ＲＮＡ抽出：
キット（ＲＮＡ抽出バッファプラス（商標））の溶解バッファ７００μＬを、１ｍＬ容量のシリンジを用いてカラムに通し、清浄に調製した無ＲＮアーゼ・エッペンドルフ・チューブに細胞溶解液を集める。この溶解液に１容量（７００μｌ）の９５〜１００％エタノールを加え、暫時よく混合し、混合物をアフィニティカラム（ザイモ−スピンＩＣ（商標）カラム）に通し、そこでＲＮＡを保持する。カラムを採集チューブに取り付ける。≧１０，０００ｒｐｍで１分間、遠心分離する。濾液を除去する。洗浄バッファ（ＲＮＡ洗浄バッファ）３００μｌをカラムに加える。≧１０，０００ｒｐｍで１分間、遠心分離する。濾液を除去する。さらに３００μｌの洗浄バッファ（ＲＮＡ洗浄バッファ）をカラムに加える。≧１０，０００ｒｐｍで１分間、遠心分離する。濾液を除去する。カラムを清浄に調製した無ＲＮアーゼ・エッペンドルフ・チューブに取り付ける。２０μＬの溶出バッファを加え、１分間待つ。≧１０，０００ｒｐｍで１分間、遠心分離する。溶出したＲＮＡを含有する濾液を集める。分光光度計（ナノドロップ）により定量する。直ちに使用するか、または−８０℃で保存する。
【００７９】
４．２  光サイクラによる定量
ｃＤＮＡは、１００Ｕの逆転写酵素スーパースクリプトＩＩＲＮアーゼＨ−、および４０Ｕのリボヌクレアーゼインヒビタ（インビトロジェン）と共に、プライマとして２０ｐｍｏｌのオリゴｄＴｓを供給元の説明書に従って使用し、総ＲＮＡ１μｇから２０μｌの最終容量で得た。
【００８０】
光サイクラによる定量のため、反応を２０μｌの最終容量で実施した；その際、０．２μｌのユニバーサル・プローブ・ライブラリｎｏ．１３（ロシュ・アプライド・サイエンス）、８．８μｌの水（ＰＣＲ等級）、プライマ：左：ｃａｃｃｔｃｃｔｇｇｃｃｔｔｃｔｃｃ（配列番号４）および右：ｇｇｇｇｃａｇｇｔａｃａｔｇｇｔｇｔ（配列番号５）、４μｌのマスターミックスおよび最後に５μｌの先に得たｃＤＮＡを加える（試薬類はすべてロシュ・アプライド・サイエンスからのものである）。使用温度は５９℃である。
【図１ａ）】
2012524883.tif 000004
【図１ｂ）】
2012524883.tif 000005
【図１ｃ）】
2012524883.tif 000006
【図２ａ）】
2012524883.tif 000007
【図２ｂ）】
2012524883.tif 000008
【図２ｃ）】
2012524883.tif 000009
【配列表】
2012524883000001.app
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
移植腎臓を有する患者における慢性同種異系移植腎障害の診断および／または予知における生物マーカとしてのＷＮＴ１の使用。
【請求項２】
移植腎臓を有する患者における慢性同種異系移植腎障害を予知する方法であって、患者から単離した生体サンプル中の、生物マーカＷＮＴ１もしくはそのフラグメントを定量することを特徴とする方法。
【請求項３】
前記生体サンプルが、尿、血液、血清または組織生検であり、ＷＮＴ１生物マーカのタンパク質、ＲＮＡもしくはＤＮＡまたはそのフラグメントの存在または不存在を測定することを特徴とする請求項２記載の方法。
【請求項４】
慢性同種異系移植腎障害をインビトロで診断する方法であって、
ａ）患者から単離した生体サンプル中のＷＮＴ１またはそのフラグメントを定量すること；
ｂ）工程ａ）のサンプル中のＷＮＴ１量を、健常個体から単離したサンプル中のＷＮＴ１量と比較すること；ここで、ＷＮＴ１が存在すること、またはその量が相対的に増大していることは、慢性同種異系移植腎障害の兆候を示している、
を含むことを特徴とする方法。
【請求項５】
前記生体サンプルが尿サンプルである請求項４記載の方法。
【請求項６】
慢性同種異系移植腎障害の予知および／または診断をモニタするためのキットであって、配列番号１、配列番号２、配列番号３、またはそのフラグメントから選択され、その検出のために標識されていてもよい配列に結合し、認識し得る少なくとも１種の分子または組成物を含んでなるキット。
【国際調査報告】
2012524883.tif 000010
2012524883.tif 000011
2012524883.tif 000012